(57)【要約】【課題】低、中、高層住宅の狭いベランダ内の物干し竿に、布団、毛布、大洗い物を安全に、横連に多くコンパクトに、吊るして干すことができ、さらに、部屋干しも可能な、大洗い物干し具を供する。【解決手段】略水平の中空軸１、該中空軸１の真下に並行の中空軸２を設け、中空軸１内を遊動する、輪状に形成したロープ３を一方側より他方側に挿通し、該挿通した一方側のロープ３の端部を、上記の中空軸２の右端部に近接する、ねじ棒７に固着し、該他方側のロープ３の端部に着脱金物４を設け、該着脱金物４を介し、上記の中空軸２の左端部に固着されたキヤップ６に連接された、つなぎ輪５に着脱自在に連結し、全体を略環状に形成し、上記の、中空軸１の中央部付近に、外台８と内台９を介し、吊りフック１０を中空軸１の側面部より鉛直方向へ、回動自在に連結し、該吊りフック１０は、スプリング１１の常時開力を介し、自動に鉛直方向より中空軸１の側面部に回転し、着して止まりコンパクトに、折りたたむ事を特徴とする。【選択図】図１
2008006231.tif 000002
【特許請求の範囲】
【請求項１】
略水平の中空軸１、該中空軸１の真下に並行の中空軸２を設け、中空軸１内を遊動する、輪状に形成したロープ３を一方側より他方側に挿通し、該挿通した一方側のロープ３の端部を、上記の中空軸２の右端部に近接する、ねじ棒７に固着し、該他方側のロープ３の端部に、着脱金物４を設け、該着脱金物４を介し、上記の中空軸２の左端部に固着されたキヤップ６に、連接された、つなぎ輪５に着脱自在に連結し全体を略環状に形成する事を、特徴とする大洗い物干し具。
【請求項２】
（イ）大洗い物干し具において、略水平の中空軸１の中央部付近に、三方板面枠の略門状の外台８、該外台８の下端の内側面間部を、鉛直方向より嵌込み、中空軸１の側面部より鉛直方向に回動自在に、連結する外台８を設ける。
（ロ）外台８の中央の内側面間部に、略口形の筒状の内台９、該内台９の外側面間部を鉛直方向より嵌込み、外台８と対向するように、回動自在に、連結する内台９を設ける。
（ハ）内台９に鉛直方向の吊りフック１０を設ける。
（ニ）内台９の内側面間のピン１２部に、スプリング１１を装着し、該スプリング１１の一方端部を、内台９の孔１７部に掛止めし、他方端部を、外台８の孔１８部に掛止めし、ピン１２を支点にスプリング１１の常時開力で、外台８と内台９、該内台９に連接された、吊りフック１０が、相反する方向へ回転し、中空軸１の側面部に、着して止まる事を特徴とする、請求項１記載の大洗い物干し具。
【発明の詳細な説明】
【技術分野】
【０００１】本発明は、集合住宅のベランダにおいて布団・毛布・大洗い物を効率よく物干し竿に吊るして干す事が出来る。さらに、部屋内の、なげし（長押）他に吊るして部屋干しが可能な、大洗い物干し具に関するものである。
【背景技術】
【０００２】従来、一般的に、集合住宅のベランダの手すりに、布団、毛布、大洗い物を、直接かけて干していた。【０００３】従来、二本の軸の夫々の一方側の端部をピンで接合し、該ピンを支点に回転し、Ｌ字状で止まり、該Ｌ字状の横方向の下肢軸に布団を掛け干し、該Ｌ字状の縦方向の上肢軸に、吊りフックを設け、全体を吊るして干す、干し具があった。（例えば特許文献１参照）
【特許文献１】特許第３４３０４２８号  布団干し具
【発明の開示】
【発明が解決しようとする課題】
【０００４】（イ）従来、ベランダの手すりに、布団、毛布、大洗い物を直に掛けて干すため、裏面が汚れた。
（ロ）一般の集合住宅では、ベランダの手すり巾に、布団、毛布、大洗い物を多く干すことが出来ない
（ハ）上階で、散水した水が、下階のベランダの手すりに掛けて干された布団・毛布・大洗い物が濡れる被害があった。
（ニ）集合住宅のベランダの手すりに、掛けた布団・毛布・大洗い物が風圧で、外側へ脱落する危険がある。
（ホ）ベランダの手すりに掛けた干し物により、建物の外観が悪い。
（ヘ）集合住宅において、手すりに掛けた布団等の、危険を伴う取り込みを、上半身を建物の外側へ無意識に乗り出し、女性・高齢者により日常的に行われている。
（ト）従来、二本の軸の夫々の一方側の端部をピンで接合し、該ピンを支点に回転し、Ｌ字状で止まり、該Ｌ字状の横方向の下肢軸に布団を掛け干し、該Ｌ字状の縦方向の上肢軸に吊りフックを設け、全体を吊るして干す、干し具ガあった。
（例えば特許文献１参照）において、
掛け干す布団等の荷重負荷が、ピン接合部にかかり、該ピンの接合部を肉厚部材で補強を要し、さらに該ピン接合部を起点に接合された下肢軸・上肢軸にかかる荷重負荷が、一方側の片持支持になり肉厚の軸部材を要し、布団干し具の全体が重くなり女性や高齢者による取り扱いで負担がかかる、さらに、上記のＬ字状に形成された横方向の下肢軸と縦方向の上肢軸との角度が、たえず一定の角度になる為、太陽の方向へ向ける角度の微調整ができない。
本発明は、以上の問題を解決する為になされたものである。
【課題を解決するための手段】
【０００５】上記問題達成するために、本発明は、略水平の中空軸１、該中空軸１の真下に並行の中空軸２を設け、中空軸１内を遊動する、輪状に形成したロープ３を一方側より他方側に挿通し、該挿通した一方側のロープ３の端部を、上記の中空軸２の右端部に近接する、ねじ棒７に固着し、該他方側のロープ３の端部に、着脱金物４を設け、該着脱金物４を介し、上記の中空軸２の左端部に固着されたキヤップ６に、連接された、つなぎ輪５に着脱自在に連結し全体を略環状に形成する事を、特徴とする大洗い物干し具を供する。
さらに、上記の略水平の中空軸１の中央部付近に、三方板面枠の略門状の外台８、該外台８の下端の内側面間部を、鉛直方向より嵌込み、中空軸１の側面部より、鉛直方向に回動自在に連結する外台８を設け該外台８の中央の内側面間部に、略口形の筒状の内台９、該内台９の外側面間部を鉛直方向より嵌込み、外台８と対向するように、回動自在に、連結する内台９を設け、該内台９に鉛直方向の吊りフック１０を設ける。さらに、内台９の内側面間のピン１２部に、スプリング１１を装着し、該スプリング１１の一方端部を、内台９の孔１７部に掛止めし、他方端部、を外台８の孔１８部に掛止めし、ピン１２を支点にスプリング１１の常時開力で、外台８と内台９、該内台９に連接された、吊りフック１０が、相反する方向へ回転し、中空軸１の側面部に、着して止まることを特徴とする大洗い物干し具である。
【発明の効果】
【０００６】（イ）ベランダの物干し竿に、吊るして干すため、布団、毛布、大洗い物の裏面が汚れない。
（ロ）物干し竿に、吊るして干す関係で幅をとらず、狭いスペースで横連に多く干せる。
（ハ）ベランダ内の物干し竿に横連に吊るして干すことで、上階の散水による濡れる被害がない。
（ニ）ベランダ内の物干し竿に吊るし干す関係で、脱落の危険はない。
（ホ）ベランダ内で、吊るして干す関係で、建物の外観がよい。
（ヘ）ベランダ内の物干し竿に吊るして干す関係で、危険を伴う、ベランダの手すりに掛けた、布団、毛布、大洗い物の取り込みの、必要がない。
（ト）中空軸２にかかる布団・毛布・大洗物の荷重を、中空軸１内に一方側から他方側へ挿通された輪状ロープ３の一方と他方を介し、荷重を分散して支持するので、バランスが良く安定する。
さらに、上記の二方向の荷重支持から、中空軸１、及び中空軸２の軸部材の厚みを均等厚にでき、全体を軽くすることができ、女性、高齢者による取り扱いがしやすい。
（チ）急な雨時に、ベランダより部屋内の、なげし（長押）その他に本発明の、大洗い物干し具の吊りフック１０を介し、吊り下げて、部屋干しができる。
【発明を実施するための最良の形態】
【０００７】次に、実施の形態を示す図面に基づき、本発明の大洗い物干し具をさらに詳しく説明する。  図１乃至図９において、本発明はステンレスアルミ・プラスチック・鉄・木等の中空状の軸を使用し、該軸の全長を略０．９Ｍの中空軸１、及び、略１．０Ｍの中空軸２を使用し、略水平の中空軸１、該中空軸１の真下に並行の中空軸２を設け、中空軸１内を遊動する、輪状に形成したロープ３を一方側より他方側に挿通し該挿通した一方側のロープ３の端部を、上記の中空軸２の右端部に近接する、ねじ棒７に固着し、該他方側のロープ３の端部に着脱金物４を設け、該着脱金物を介し、上記の中空軸２の左端部に固着されたキヤップ６に連接された、つなぎ輪５に着脱自在に連結し、全体を略環状に形成する。  さらに、前記の中空軸１内を遊動するロープ３を該中空軸１内より、どちらか一方側へ引出した分、他方側のロープ３部が短くなり該ロープ３に連接された、中空軸１に並行の中空軸２が連動して傾きが変わり、該中空軸２に、二つ折り状にして布団、毛布、大洗い物を掛けて太陽に向けて干す角度調整ができる。
さらに、上記の中空軸２にかかる下向荷重は、中空軸２の右と左端部に連接されたロープ３を介し二方に分散されて、安定する。
さらに上記の中空軸２に固着されたキャップ６に連結されたつなぎ輪５に、着脱自在に連結する着脱金物４を、つなぎ輪５より、取り外し床に敷いた布団・毛布・大洗い物を二つ折りにした間に、中空軸２を挟込み、上記の取り外した着脱金物４を再連結し、布団、毛布、大洗い物を中空軸２に容易に掛ける事ができる。【０００８】図１０乃至図１４は、上記の略水平の中空軸１の中央部付近に、三方板面枠の略門状の外台８、該外台８下端の内側面間部を鉛直方向より嵌込み、中空軸１の側面部より、鉛直方向に回動自在にピン１３を介し、連結した外台８と、該外台８の中央の内側面間部に略口形の筒状の内台９、該内台９の外側面間部を鉛直方向より挟込み外台８と対向するように、回動自在にピン１２を介し、連結する内台９と、該内台９に鉛直方向の吊りフック１０とを設け、該吊りフック１０の鉛直軸を中心に、水平方向に３６０度か回転する。
さらに、上記の内台９の内側面間のピン１２部に、スプリング１１を装着し、該スプリング１１の一方端部を、内台９の上面の孔１７部に掛止めし、他方端部を外台８の上面の孔１８部に掛止めし、ピン１２部を支点にスプリング１１の常時開力で、外台８と内台９、該内台９に連接された吊りフック１０が、相反する方向へ回転し、中空軸１の側面部で着し止まり、コンパクトに折りたたむ。【０００９】図１５は、本発明の大洗い物干し具の使用時の例を示す。即ち、布団、毛布、大洗い物を中空軸１と平行の中空軸２に、該中空軸２を二つ折り状の布団、毛布、大洗い物の間に挟込むように掛け干し中空軸１の中央部付近に設けた吊りフック１０を介し、ベランダの物干し竿１４に吊り下げ、吊りフック１０の鉛直軸を中心に水平方向に３６０度回転させて、太陽の方向へむける。
さらに、上記の中空軸１内に挿通れたロープ３を、該中空軸１内より夫々どちらかの一方側に引き出すと、該ロープ３に連接された中空軸２が共に連動し、該中空軸２の傾きが変わり、中空軸２に掛けて干す角度の調整が出来て、太陽の方向へむける事ができる。【００１０】図１６は、本発明の大洗い物干し具の使用後の状況例を示す。即ち、中空軸１の側面部に折りたたんだ吊りフック１０を介し、ベランダの物干し竿１４に吊り下げると、縦方向の中空軸１に中空軸２が自重で中空軸１の側面部に着して止まり、中空軸１・中空軸２が共に縦方向に吊り下がり、全体がコンパクトになる。
【産業上の利用可能性】
【００１１】集合住宅の狭いベランダ内の物干し竿に、布団、毛布、大洗い物を、本発明の大洗い物干し具を介して、安全に横連に多くコンパクトに吊るして干すことが、利用可能である。さらに、梅雨の季節には、部屋内のなげし（長押）、他に吊り下げて、部屋干しが可能である。
【図面の簡単な説明】
【００１２】
【図１】本発明の大洗い物干し具の形態を示す正面図である。
【図２】図１の平面図である。
【図３】図１の左側面図である。
【図４】図１の右側面図である。
【図５】図２のＡ−Ａ断面図である。
【図６】図１のＤ−Ｄ間部の拡大参考図である。
【図７】図６の参考左側面図である。
【図８】図１のＥ−Ｅ間部の拡大参考図である。
【図９】図８の参考右側面図である。
【図１０】図１のＢ−Ｂ断面拡大参考図
【図１１】図１のＣ−Ｃ断面拡大参考図
【図１２】図５のＤ−Ｄ間の拡大参考図
【図１３】図１２の鉛直方向の吊りフック１０がスプリング１１の常時開力を介し、外台８と内台９、該内台９に連接された、吊りフック１０が、相反する方向に回転し、主中空軸１の側面部に着して止まった形態図を示す。
【図１４】吊りフック１０部分を示す、分解斜視参考図である。
【図１５】本発明の大洗い物干し具に、たとえば布団を掛け干した場合、物干し竿１４に、吊りフック１０を介し吊るした、実施斜視参考図を示す。
【図１６】本発明の大洗い物干し具を、使用後に物干し竿１４に吊り下げた実施斜視参考図を示す。
【符号の説明】
【００１３】１        中空軸
２        中空軸
３        ロープ
４        着脱金物
５        つなぎ輪
６        キヤップ
７        ねじ棒
８        外台
９        内台
１０      吊りフック
１１      スプリング
１２      ピン
１３      ピン
１４      物干し竿
１５      物干し竿受け金物
１６      干し物（布団、毛布、大洗い物）
１７      孔
１８      孔
１９      孔
２０      孔
２１      抜止ブロック
２２      孔
２３      孔
２４      孔
２５      孔
２６      孔
２７      孔
【図１】
2008006231.tif 000003
【図２】
2008006231.tif 000004
【図３】
2008006231.tif 000005
【図４】
2008006231.tif 000006
【図５】
2008006231.tif 000007
【図６】
2008006231.tif 000008
【図７】
2008006231.tif 000009
【図８】
2008006231.tif 000010
【図９】
2008006231.tif 000011
【図１０】
2008006231.tif 000012
【図１１】
2008006231.tif 000013
【図１２】
2008006231.tif 000014
【図１３】
2008006231.tif 000015
【図１４】
2008006231.tif 000016
【図１５】
2008006231.tif 000017
【図１６】
2008006231.tif 000018